(57)【要約】【課題】収納時にはカップ把持部を小さくするとともに、一操作のみでカップ把持部を大きくして使用可能状態になるカップホルダーを提供する。【解決手段】カップホルダー１００を使用するために蓋体１５０を開放すると、蓋体１５０とともにベース部１２０が所定角度だけ回転するが、それと同時に前方水平方向にも引き出される。さらに、カップ把持アーム１３０も同時に上昇することで、蓋体１５０が全開となったときには、大型カップ等でも使用可能な状態になるように構成されている。 【選択図】図１
2008195227.tif 000002
【特許請求の範囲】
【請求項１】
車両内装の一部に設けられたカップホルダーであって、
前記車両内装の一部に固定され、少なくとも一方向に開放された開口部を有するボックス本体と、
前記ボックス本体に固定され、前記開口部の開放方向を長軸とする長孔が形成されたレール部と、
前記レール部の前記開放方向の一端に回動可能に取付けられたベース部と、
一端が前記ベース部に回動可能に係止され、他端が前記レール部の前記長孔にスライド可能に係止された回転軸に連結された支持片と、
前記ベース部に上昇可能に取付けられたカップ把持アームと、
前記ベース部の外表面に固定され、前記ベース部及び前記カップ把持アームを前記ボックス本体に収納して前記開口部と接合可能に形成された蓋体と、
前記ベース部と前記支持片との係止位置に設置されて前記ベース部を開方向に回動させる回動手段と、
前記カップ把持アームを前記ベース部から所定距離だけ上昇させる上昇手段と、
前記蓋体を前記開口部に接合させた閉状態でロックするロック手段と、を備え、
前記ロック手段を解除して前記蓋体が開放可能となると、前記回動手段が前記ベース部を開方向に回動させ、前記上昇手段が前記カップ把持アームを前記ベース部から前記所定距離だけ上昇させる
ことを特徴とするカップホルダー。
【請求項２】
車両内装の一部に設けられたカップホルダーであって、
前記車両内装の一部に固定され、少なくとも一方向に開放された開口部を有するボックス本体と、
前記ボックス本体に固定され、前記開口部の開放方向に布設されたガイド溝と、
前記ガイド溝にスライド可能に係止され、前記開放方向を長軸とする長孔が形成されたレール部と、
前記レール部の前記開放方向の一端に回動可能に取付けられたベース部と、
一端が前記ベース部に回動可能に係止され、他端が前記レール部の前記長孔にスライド可能に係止された回転軸に連結された支持片と、
前記ベース部に上昇可能に取付けられたカップ把持アームと、
前記ベース部の外表面に固定され、前記ベース部及び前記カップ把持アームを前記ボックス本体に収納して前記開口部と接合可能に形成された蓋体と、
前記レール部を前記ガイド溝に沿ってスライドさせることで前記ベース部を前記ボックス本体から引出す引出し手段と、
前記ベース部と前記支持片との係止位置に設置されて前記ベース部を開方向に回動させる回動手段と、
前記カップ把持アームを前記ベース部から所定距離だけ上昇させる上昇手段と、
前記蓋体を前記開口部に接合させた閉状態でロックするロック手段と、を備え、
前記ロック手段を解除して前記蓋体が開放可能となると、前記引出し手段が前記ベース部を前記ボックス本体から引出し、前記回動手段が前記ベース部を開方向に回動させ、前記上昇手段が前記カップ把持アームを前記ベース部から前記所定距離だけ上昇させる
ことを特徴とするカップホルダー。
【請求項３】
前記上昇手段は、前記カップ把持アームを前記ベース部上に取り付けた位置に圧縮バネを備え、
前記蓋体が閉状態のときには前記カップ把持アームが押圧されて前記圧縮バネを圧縮し、
前記蓋体が開放されると前記カップ把持アームが移動可能となって前記圧縮バネの伸張により所定距離だけ上昇する
ことを特徴とする請求項１又は請求項２に記載のカップホルダー。
【請求項４】
前記引出し手段は、前記ボックス本体に固定された巻取り部と、先端が前記レール部に固定されて前記巻取り部に巻取られるよう付勢されたバネ片とからなり、
前記蓋体を前記開口部に接合させた閉状態のときに前記バネ片が前記巻取り部から引出され、前記ロック手段を解除して前記蓋体が開放可能となると、前記バネ片が前記巻取り部に巻取られることで前記レール部が前記ガイド溝に沿ってスライドしながら前記ベース部を引出す
ことを特徴とする請求項２に記載のカップホルダー。
【請求項５】
前記回動手段は、前記ベース部と前記支持片との係止位置に渦巻きバネを備え、
前記渦巻きバネは、前記蓋体が閉状態のときに巻き取られて前記蓋体の開方向に前記支持片を回動させるよう付勢されている
ことを特徴とする請求項１又は請求項２に記載のカップホルダー。
【請求項６】
前記カップ把持アームは、前記ベース部上に載置されるカップの側面を押圧して把持するカップ把持片を備えている
ことを特徴とする請求項１又は請求項２に記載のカップホルダー。
【請求項７】
前記カップ把持アームと対向する位置に、前記カップの側面を把持する後方把持部をさらに備え、
前記後方把持部は、前記蓋体を閉状態としたときには前記ボックス本体の内部に収納されるよう前記ベース部に回動可能に係止されている
ことを特徴とする請求項１又は請求項２に記載のカップホルダー。
【請求項８】
前記ベース部が全開されて使用可能状態になると、前記支持片の長辺が前記ベース部に密接されることで前記使用可能状態が保持される
ことを特徴とする請求項１又は請求項２に記載のカップホルダー。
【発明の詳細な説明】
【技術分野】
【０００１】
本発明は、車両用のシート及び内装に設置されるカップホルダーに関する。
【背景技術】
【０００２】
従来より、飲み物を入れた紙カップやジュース缶等を把持するためのカップホルダーは、車両内部に設けられているシートのアームレストや内装のドアトリム、あるいはインスツルメントパネルに装着されており、使用しないときには収納できるような構造に形成されている。また、カップホルダーに設けられたロックをボタン等で解除することにより、収納されていたカップホルダーが出現して使用可能となる製品も知られている。
【０００３】
カップホルダーの従来の代表的な形態の一つとして、例えば特許文献１に開示されている図８に示すものが知られている。特許文献１に記載のカップホルダー９００は、カップ把持部９０１がインスツルメントパネル９０２から略水平に引出されるように構成されたものである。
【０００４】
また、カップホルダーの従来の別の形態のものとして、例えば特許文献２に開示されている図９に示すものも知られている。特許文献２に記載のカップホルダー９１０は、アームレスト９１２の先端部に組み込まれたもので、蓋体９１３を回動して開放させると同時にカップ把持部９１１が出現して使用可能となるように構成されている。
【特許文献１】実開平０６−２２０７０号公報
【特許文献２】特開平０７−２１３３７８号公報
【発明の開示】
【発明が解決しようとする課題】
【０００５】
しかしながら、上記従来のカープホルダーでは以下のような問題があった。上記従来のカープホルダーは、把持可能なカップの大きさが限定されているため、近年出現しているペットボトルや大型化しているドリンクカップ等を把持できるように構成されていない。これらを把持できるよう、カップを挿入して把持する孔を大きくすることは可能であるが、把持孔を大きくするだけではカップ等を安定して把持することはできない。
【０００６】
カップ等を安定して把持できるようにするためには、カップ等の高い位置を把持するようにカップホルダーを構成する必要があり、上記従来のカップホルダーでこれを実現させようとすると、カップホルダーが大型化してしまい、インスツルメントパネルやアームレスト等に設置できなくなってしまうといった問題があった。
【０００７】
そこで、本発明はこれらの問題を解決するためになされたものであり、収納時にはカップ把持部を小さくするとともに、一操作のみでカップ把持部を大きくして使用可能状態になるカップホルダーを提供することを目的とする。
【課題を解決するための手段】
【０００８】
本発明のカップホルダーの第１の態様は、車両内装の一部に設けられたカップホルダーであって、前記車両内装の一部に固定され、少なくとも一方向に開放された開口部を有するボックス本体と、前記ボックス本体に固定され、前記開口部の開放方向を長軸とする長孔が形成されたレール部と、前記レール部の前記開放方向の一端に回動可能に取付けられたベース部と、一端が前記ベース部に回動可能に係止され、他端が前記レール部の前記長孔にスライド可能に係止された回転軸に連結された支持片と、前記ベース部に上昇可能に取付けられたカップ把持アームと、前記ベース部の外表面に固定され、前記ベース部及び前記カップ把持アームを前記ボックス本体に収納して前記開口部と接合可能に形成された蓋体と、前記ベース部と前記支持片との係止位置に設置されて前記ベース部を開方向に回動させる回動手段と、前記カップ把持アームを前記ベース部から所定距離だけ上昇させる上昇手段と、前記蓋体を前記開口部に接合させた閉状態でロックするロック手段と、を備え、前記ロック手段を解除して前記蓋体が開放可能となると、前記回動手段が前記ベース部を開方向に回動させ、前記上昇手段が前記カップ把持アームを前記ベース部から前記所定距離だけ上昇させることを特徴とする。
【０００９】
この態様のカップホルダーによれば、収納時にはカップ把持アームの高さを低くすることで収納に必要なスペースを小さくするとともに、ロック手段を解除するだけでベース部を開放させかつカップ把持アームを上昇させることで、大型のカップ等でも安定して使用できるカップホルダーを提供することが可能となる。
【００１０】
本発明のカップホルダーの他の態様は、車両内装の一部に設けられたカップホルダーであって、前記車両内装の一部に固定され、少なくとも一方向に開放された開口部を有するボックス本体と、前記ボックス本体に固定され、前記開口部の開放方向に布設されたガイド溝と、前記ガイド溝にスライド可能に係止され、前記開放方向を長軸とする長孔が形成されたレール部と、前記レール部の前記開放方向の一端に回動可能に取付けられたベース部と、一端が前記ベース部に回動可能に係止され、他端が前記レール部の前記長孔にスライド可能に係止された回転軸に連結された支持片と、前記ベース部に上昇可能に取付けられたカップ把持アームと、前記ベース部の外表面に固定され、前記ベース部及び前記カップ把持アームを前記ボックス本体に収納して前記開口部と接合可能に形成された蓋体と、前記レール部を前記ガイド溝に沿ってスライドさせることで前記ベース部を前記ボックス本体から引出す引出し手段と、前記ベース部と前記支持片との係止位置に設置されて前記ベース部を開方向に回動させる回動手段と、前記カップ把持アームを前記ベース部から所定距離だけ上昇させる上昇手段と、前記蓋体を前記開口部に接合させた閉状態でロックするロック手段と、を備え、前記ロック手段を解除して前記蓋体が開放可能となると、前記引出し手段が前記ベース部を前記ボックス本体から引出し、前記回動手段が前記ベース部を開方向に回動させ、前記上昇手段が前記カップ把持アームを前記ベース部から前記所定距離だけ上昇させることを特徴とする。
【００１１】
この態様のカップホルダーによれば、さらに引出し手段を設けて開放時にベース部を引き出すように構成することで、カップホルダーが離れて設置されている場合でも、使用時には近くまで引き出されることで使いやすいカップホルダーを提供することができる。
【００１２】
本発明のカップホルダーの他の態様は、前記上昇手段が、前記カップ把持アームを前記ベース部上に取り付けた位置に圧縮バネを備え、前記蓋体が閉状態のときには前記カップ把持アームが押圧されて前記圧縮バネを圧縮し、前記蓋体が開放されると前記カップ把持アームが移動可能となって前記圧縮バネの伸張により所定距離だけ上昇することを特徴とする。
【００１３】
この態様のカップホルダーによれば、カップ把持アームを圧縮バネを用いて上昇させるようにすることで、カップ把持アームの上昇手段を容易に実現することが可能となる。
【００１４】
本発明のカップホルダーの他の態様は、前記引出し手段が、前記ボックス本体に固定された巻取り部と、先端が前記レール部に固定されて前記巻取り部に巻取られるよう付勢されたバネ片とからなり、前記蓋体を前記開口部に接合させた閉状態のときに前記バネ片が前記巻取り部から引出され、前記ロック手段を解除して前記蓋体が開放可能となると、前記バネ片が前記巻取り部に巻取られることで前記レール部が前記ガイド溝に沿ってスライドしながら前記ベース部を引出すことを特徴とする。
【００１５】
この態様のカップホルダーによれば、巻取り部とバネ片とからなる引出し手段を用いることで、ロック手段を解除したときにベース部が引き出されるようにすることができる。
【００１６】
本発明のカップホルダーの他の態様は、前記回動手段が、前記ベース部と前記支持片との係止位置に渦巻きバネを備え、前記渦巻きバネが、前記蓋体が閉状態のときに巻き取られて前記蓋体の開方向に前記支持片を回動させるよう付勢されていることを特徴とする。
【００１７】
この態様のカップホルダーによれば、渦巻きバネをベース部と支持片との係止位置に設けることで、ロック手段を解除したときにベース部が開放されるようにすることができる。
【００１８】
本発明のカップホルダーの他の態様は、前記カップ把持アームが、前記ベース部上に載置されるカップの側面を押圧して把持するカップ把持片を備えていることを特徴とする。
【００１９】
この態様のカップホルダーによれば、カップ把持アームにカップ把持片を設けることで、大型のカップだけでなく従来の大きさのカップも安定に把持することが可能となる。
【００２０】
本発明のカップホルダーの他の態様は、前記カップ把持アームと対向する位置に、前記カップの側面を把持する後方把持部をさらに備え、前記後方把持部が、前記蓋体を閉状態としたときには前記ボックス本体の内部に収納されるよう前記ベース部に回動可能に係止されていることを特徴とする。
【００２１】
この態様のカップホルダーによれば、後方把持部を設けることで大型のカップをさらに安定に把持することが可能となり、後方把持部をベース部に回動可能に係止することで、収納に必要なスペースも小さくすることができる。
【００２２】
本発明のカップホルダーの他の態様は、前記ベース部が全開されて使用可能状態になると、前記支持片の長辺が前記ベース部に密接されることで前記使用可能状態が保持されることを特徴とする。
【００２３】
この態様のカップホルダーによれば、支持片の長辺をベース部に密接させることで、使用可能状態を安定に保持することが可能となる。
【発明の効果】
【００２４】
本発明によれば、収納時にはカップを保持するアーム等を小さくすることで、収納に必要なスペースを小さくする一方、一操作のみでアーム等を大きくして大型のカップでも保持可能な状態になるカップホルダーを提供することができる。
【発明を実施するための最良の形態】
【００２５】
本発明の好ましい実施の形態におけるカップホルダーについて、図面を参照して詳細に説明する。なお、同一機能を有する各構成部については、図示及び説明簡略化のため、同一符号を付して示す。
【００２６】
本発明の実施の形態に係るカップホルダーを、図１を用いて詳細に説明する。同図は、カップホルダー１００が使用可能となっているときの状態を示す斜視図である。本実施形態のカップホルダー１００は、カップを載置するための載置台となるベース部１２０と、カップの転倒を防止して安定に保持するためのカップ把持アーム１３０及び後方把持部１４０とを備えており、カップ把持アーム１３０と後方把持部１４０との間にカップ等を上方から挿入してベース部１２０上に載置するようにして用いる。
【００２７】
カップホルダー１００は、車両の内部に設けられたアームレストやインスツルメントパネル等の内装の一部に設置して用いられるものであり、ボックス本体１１０が内装の一部に固定される。そのため、ボックス本体１１０の形状は、設置される内装の形状に合わせて決定することができる。
【００２８】
ボックス本体１１０は、少なくとも一方向に開放された開口部１１１を有しており、カップホルダー１００を使用しないときは、蓋体１５０を開口部１１１に嵌合させて閉じることが可能な構造となっている。カップホルダー１００を使用するときには、蓋体１５０を前方に倒して開口部１１１を開放することで、ボックス本体１１０に収納されているベース部１２０、カップ把持アーム１３０、後方把持部１４０等を開口部１１１から引出し、図1に示すようなカップ等を載置できる状態にして用いる。
【００２９】
本実施形態のカップホルダー１００は、従来の普通サイズのカップだけでなく、ペットボトルや大型サイズのドリンクカップ等も把持できるように構成されており、特に従来のカップより高さの大きいものに対しても、これを安定的に把持できるようにしている。すなわち、カップホルダー１００が使用可能な状態では、カップ等の転倒を防止するためにカップ把持アーム１３０と後方把持部１４０とが対向する位置に立設されており、さらに、高さの大きいカップ等を安定的に把持させるために、カップ把持アーム１３０が高い位置まで上昇するように構成されている。
【００３０】
カップ把持アーム１３０が常に高い位置で固定されていると、カップホルダー１００を使用しないときにこれをボックス本体１１０内に収納できるようにするためには、ボックス本体１１０をカップ把持アーム１３０の高さに合わせて大きくする必要がある。しかし、ボックス本体１１０を大きくしてしまうと、カップホルダー１００が設置できるスペースを確保することが極めて困難になってしまい実用的ではない。
【００３１】
そこで、本実施形態のカップホルダー１００では、カップホルダー１００を使用しないときにはカップ把持アーム１３０を下方に押し下げてボックス本体１１０に収納するように構成しており、これにより収納に必要なスペースを小さくしてボックス本体１１０の小型化を実現している。
【００３２】
また、本実施形態のカップホルダー１００は、カップを保持するベース部１２０等をボックス本体１１０から所定距離だけ引き出して使用するように構成されており、例えばボックス本体１１０がインスツルメントパネル等の離れた位置に固定されている場合に、ベース部１２０等が近くに引出されることでカップ等を載置しやすくしている。カップホルダー１００を使用しないときには、引き出されたのと同じ距離だけ押し縮めてボックス本体１１０に収納することができる。
【００３３】
上記のように、本実施形態のカップホルダー１００を使用するために蓋体１５０を開放すると、蓋体１５０とともにベース部１２０が所定角度だけ回転するが、それと同時に前方水平方向にも引き出される。さらに、カップ把持アーム１３０も同時に上昇することで、蓋体１５０が全開となったときには、大型カップ等でも使用可能な図１の状態になるように構成されている。
【００３４】
本実施形態のカップホルダー１００の詳細な構造を、図２及び図３を用いてさらに詳細に説明する。図２はカップホルダー１００が使用可能状態にあるときの側面図であり、図３は同じく使用可能状態にあるときの上面図である。
【００３５】
カップホルダー１００には、蓋体１５０を開口部１１１に嵌合させて閉止するためのロック手段１６０が備えられており、ボックス本体１１０に設けられた解除ボタン１６１とフック１６２、及びベース部１２０に設けられた係止部１６３とから構成されている。蓋体１５０がボックス本体１１０に嵌合されているときは、フック１６２が係止部１６３に係止されることで閉止状態を維持している。また、閉止状態で解除ボタン１６１を押下すると、フック１６２が係止部１６３からはずれてロック手段１６０が解除される。
【００３６】
ロック手段１６０が解除されると、蓋体１５０及びベース部１２０が前方に開放され、これとともにボックス本体１１０内に収納されているベース部１２０、カップ把持アーム１３０、後方把持部１４０等が使用可能状態に展開される。すなわち、本実施形態では、解除ボタン１６１を押下する一操作だけで、大型カップ等でも安定的に載置できる使用可能状態を実現するように構成されている。
【００３７】
解除ボタン１６１を押下する操作だけでカップホルダー１００が閉止状態から使用可能状態に移行するように、カップホルダー１００には、ベース部１２０等を前方水平方向に引き出す手段と、蓋体１５０及びベース部１２０を一体に前方に回動させる手段と、カップ把持アーム１３０を所定高さまで上昇させる手段とが備えられており、ロック手段１６０を解除したときにこれらの各手段が動作するようにしている。以下では、各手段の構造について詳細に説明する。
【００３８】
まず、ロック手段１６０を解除したときに、ベース部１２０等を前方水平方向に引き出す手段について説明する。ベース部１２０を前方水平方向に引き出し可能とするために、ボックス本体１１０の両側面１１３ａ、ｂにはガイド溝１１２ａ、１１２ｂが略水平方向に形成されており、このガイド溝１１２ａ、１１２ｂに沿って略水平方向にスライド可能にレール片１７１ａ、１７１ｂが設けられている。
【００３９】
このレール片１７１ａ、１７１ｂの前方端部とベース部１２０の端部とが回動可能にレール係止部１２１で係止されており、レール片１７１ａ、１７１ｂがそれぞれガイド溝１１２ａ、１１２ｂに沿って前方水平方向にスライドすることにより、ベース部１２０が前方水平方向に引出される構造としている。
【００４０】
レール片１７１ａと１７１ｂとは、ボックス本体１１０の底面１１５の裏側で連結されて一体のレール部１７０を構成している。従って、ロック手段１６０の解除に伴って、レール片１７１ａと１７１ｂとが一体にガイド溝１１２ａ、１１２ｂをスライドして前方に引き出される。
【００４１】
レール部１７０を前方水平方向にスライドさせる手段として、ボックス本体１１０の底面１１５の裏側に引出し手段１８０を設けている。引出し手段１８０は、底面１１５の裏側に固定された巻取り部１８１と、巻取り部１８１から引出されて先端をレール部１７０に固定されたバネ片１８２とで構成されており、バネ片１８２は巻取り部１８１に巻取られるよう付勢されている。
【００４２】
引出し手段１８０の概略構造を、図４に示すカップホルダー１００の下面図を用いて説明する。引出し手段１８０は、巻取り部１８１とバネ片１８２とで構成されており、巻取り部１８１がボックス本体１１０の底面１１５の裏側に固定され、バネ片１８２の端部１８２ａがレール部１７０のレール連結片１７２に固定されている。レール連結片１７２は、レール片１７１ａと１７１ｂとをボックス本体１１０の底面１１５裏側で連結している部材である。
【００４３】
バネ片１８２は、巻取り部１８１に巻き取られるように付勢されており、このバネ力でレール部１７０を引き出すようにしている。すなわち、カップホルダー１００が閉止された状態ではバネ片１８２が巻取り部１８１から引き出された状態となり、レール連結片１７２にはバネ片１８２から引き出し方向に引っ張られるバネ力が加えられている。そして、ロック手段１６０が解除されてベース部１２０が開放可能となると、レール連結片１７２に加えられたバネ力によってレール部１７０が前方に引き出される。
【００４４】
上記のようにレール部１７０がガイド溝１１２に沿ってボックス本体１１０の前方に引き出されると、レール部１７０の前方端部に回動可能に係止されたベース部１２０もボックス本体１１０の前方に引き出される。
【００４５】
次に、ロック手段１６０を解除したときに、蓋体１５０及びベース部１２０を一体に前方に回動させる手段について説明する。蓋体１５０はベース部１２０に一体に固定されており、ベース部１２０がレール係止部１２１で回動可能にレール部１７０の前方端部に係止されている。レール係止部１２１を中心にベース部１２０を前方に回動させるために、支持片１９０が回動可能に支持片係止部１２２でベース部１２０に係止されている。
【００４６】
係止片１９０の一端をベース部１２０に回動可能に係止している支持片係止部１２２には、ベース部１２０を回動させるための回動手段が設けられている。支持片係止部１２２は、ベース部１２０側に形成された軸受部１２２ａと、支持片１９０の一端に設けられた回転軸１２２ｂ、及び回動手段としての渦巻きバネ１２２ｃとで構成されている。
【００４７】
図２において、渦巻きバネ１２２ｃは、ベース部１２０側に固定されて回転軸１２２ｂを中心に支持片１９０を右周りに回転させるように付勢されている。一方、支持片１９０の他端は、両端がレール片１７１ａ、１７１ｂに係止されたスライド回転軸１９１に回動可能に係止されている。レール片１７１ａ、１７１ｂには、引き出し方向を長軸とする長孔１７３ａ、１７３ｂがそれぞれ形成されており、それぞれの長孔１７３ａ、１７３ｂにスライド可能にスライド回転軸１９１の両端がスライド部材１９２ａ、１９２ｂを介して係止されている。
【００４８】
上記のように、渦巻きバネ１２２ｃが回転軸１２２ｂを中心に支持片１９０を図面右周りに回転させようとすると、支持片１９０の他端がスライド回転軸１９１に回動可能に連結されていることから、回転軸１９１を中心に支持片１９０の一端を左回りに回転させようとする回転力となる。その結果、ベース部１２０を下方向に押し付ける力となり、ベース部１２０がレール係止部１２１を中心に左回りに回動する。
【００４９】
また、ベース部１２０が左回りに回動するのに伴って、支持片１９０の他端に連結されたスライド回転軸１９１が引き出し方向に引っ張られてレール片１７１ａ、１７１ｂの各長孔１７３ａ、１７３ｂをスライドする。そして、支持片１９０の長辺がベース部１２０に接する位置まで回転すると、ベース部１２０の回転が停止してほぼ水平に安定に固定される。
【００５０】
次に、ロック手段１６０を解除したときに、カップ把持アーム１３０を所定高さまで上昇させる手段について説明する。カップ把持アーム１３０は、カップを把持するためのアーム部１３１とカップ把持片１３２、及びアーム部１３１をベース部１２０上に支持するためのアーム支持部１３３とで構成されている。
【００５１】
カップ把持アーム１３０を所定高さまで上昇させるために、アーム支持部１３３には圧縮バネ１３４が内蔵されており、この圧縮バネ１３４の反発力によってカップ把持アーム１３０が上方に押し上げられる構造としている。また、アーム支持部１３３には図示しないストッパが設けられており、これによりカップ把持アーム１３０が所定の距離だけ上昇した位置で停止するように構成されている。
【００５２】
カップ把持片１３２は、アーム部１３１の端部に回動可能に係止されており、アーム部１３１との角度を小さくする方向に付勢されている。これにより、アーム部１３１とカップ把持片１３２との間に挿入されたカップ等に対し、その大きさに合わせて安定的に把持できるようにしている。
【００５３】
カップホルダー１００には、ベース部１２０上に載置されたカップ等を安定的に把持するために、さらに後方把持部１４０が設けられている。後方把持部１４０は、後方把持片１４１とこれを支持している支持台１４２とで構成されており、支持台１４２が支持台係止部１４３でベース部１２０に回動可能に係止されている。
【００５４】
後方把持部１４０は、カップホルダー１００が開放されるとき、ベース部１２０の回動に伴って支持台１４２がベース部１２０上に立設し、これにより後方把持片１４１がアーム部１３１と対向する位置に来るように構成されている。また、カップホルダー１００を閉止するときは、支持台１４２が支持台係止部１４３を回転軸として回転しながらボックス本体１１０の内部に収納される。
【００５５】
次に、図５、図６及び図２を用いて、カップホルダー１００が閉止状態のときから、使用可能な全開状態になるまでの過程における各部位の動作について説明する。図５はカップホルダー１００が閉止状態のときの側面図を示しており、図６は途中まで開放されたときの側面図を示している。図２に示した全開状態のときの側面図と合わせて、カップホルダー１００の動作を以下に説明する。
【００５６】
図５に示す全閉状態において、カップ把持アーム１３０は、ボックス本体１１０の上部背面１１４ａに押圧されて高さが押し縮められており、これによりアーム支持部１３３に内蔵されている圧縮バネ１３４も圧縮されてアーム部１３１を上昇させる方向に強く付勢されている。後方把持部１４０は、支持台係止部１４３を軸に回転してボックス本体１１０に収納されている。
【００５７】
また、支持片１９０は、支持片係止部１２２を中心に図面左回りに回転された状態でボックス本体１１０の内部に収納されており、渦巻きバネ１２２ｃには支持片１９０を右回りに回転させようとするバネ力が付勢されている。
【００５８】
さらに、ベース部１２０が図面右方向に移動されてロック手段１６０で係止されていることから、レール部１７０もガイド溝１１２の右奥まで押し込まれた状態で収納されている。これに伴い、レール連結片１７２が右側に移動してバネ片１８２を巻取り部１８１から引き出しており、これによりバネ片１８２が巻取り部１８１に巻き取られる方向に付勢されてレール連結片１７２に左方向の張力を加えている。
【００５９】
上記のように、カップホルダー１００が閉止された状態では、カップ把持アーム１３０、支持片１９０、及びレール部１７０のいずれもが、開放方向に付勢された状態でボックス本体１１０に収納されている。
【００６０】
次に解除ボタン１６１を押下してロック手段１６０を解除すると、カップ把持アーム１３０、支持片１９０、及びレール部１７０は、閉止時に付勢されていたそれぞれのバネ力で所定の動作を行い、一時的に図６に示すような状態になる。すなわち、カップ把持アーム１３０は、圧縮バネ１３４が伸張することによって上方に押し上げられ、支持片１９０は渦巻きバネ１２２ｃからのバネ力によってベース部１２０を下方に押し下げようとし、その結果ベース部１２０がレール係止部１２１を中心に左回りに回転する。
【００６１】
さらに、レール部１７０は、バネ片１８２が巻取り部１８１に巻き取られることでレール連結片１７２が左方向に移動し、これに伴ってレール片１７１ａ、１７１ｂがガイド溝１１２に沿って左方向に引き出される。その結果、レール片１７１ａ、１７１ｂに回動可能に係止されているベース部１２０も左方向に引き出される。
【００６２】
図６に示すような状態を経過した後、カップ把持アーム１３０、支持片１９０、及びレール部１７０に付勢されていたそれぞれのバネ力でさらにそれぞれの動作を継続し、図２に示す全開状態でそれぞれの動作を停止する。図２に示す全開状態では、カップ把持アーム１３０が所定の距離だけ上昇すると、図示しない所定のストッパでカップ把持アーム１３０の上昇を停止させている。
【００６３】
また、支持片１９０は、ベース部１２０を下方に押し下げながらスライド回転軸１９１を中心に左回りに回転し、支持片１９０の長辺がベース部１２０に接したときに回転を停止する。カップホルダー１００は、支持片１９０の長辺がベース部１２０に接することで開放状態を安定的に保持している。
【００６４】
上記の通り、本実施形態のカップホルダー１００は、解除ボタン１６１を押下してロック手段１６０を解除する１つの操作のみで、図２に示す全開状態が実現されて使用可能となる。また、カップ本体を把持するカップ把持アーム１３０も同時にせり出してくる形となり、多種の大きさのカップを置くことが可能となる。一方、カップホルダー１００を閉止するときは、蓋体１５０を上方右方向に引き上げるだけで、図５に示す全閉状態にすることができる。
【００６５】
カップホルダー１００が図２に示す全開状態のときには、カップ把持アーム１３０が高い位置まで上昇されていることから、従来のものより大きなカップやペットボトル等でも安定的に把持することが可能となっており、例えば北米で販売されているカップサイズ（３２オンス）までのカップを把持させるようにすることが可能である。
【００６６】
一方、図５に示す全閉状態では、カップ把持アーム１３０が押し縮められて収納され、支持片１９０が回転及びスライドして収納され、さらにレール部１７０がガイド溝１１２押し込まれて収納されていることから、蓋体１５０からボックス本体１１０の下方背面１１４ｂまでの距離、すなわちカップホルダー１００の全閉状態での奥行きを小さくすることが可能となっている。これにより、カップホルダー１００を内装等に設置するのに必要なスペースを小さくして省スペース化を図ることが可能となっている。
【００６７】
本発明の別の実施形態に係るカップホルダーを、図７を用いて詳細に説明する。図７は、本実施形態のカップホルダー２００が使用可能状態にあるときの側面図を示している。本実施形態のカップホルダー２００は、ベース部１２０が前方に引き出されずに回転のみで開放されるように構成されている。
【００６８】
本実施形態では、ベース部１２０を前方に引き出す必要が無いため、カップホルダー１００でベース部１２０の引き出しに必要であった手段等が省略されている。まず、ボックス本体１１０の左右の側面１１３ａ、ｂに形成されていたガイド溝１１２が不要となり、レール片１７１ａ、１７１ｂを側面１１３ａ、ｂに直接固定することができる。その結果、レール片１７１ａと１７１ｂとを一体に連結していたレール連結片１７２も不要となる。さらに、レール部１７０を前方に引き出すための引出し手段１８０も不要となる。
【００６９】
上記の通り、本実施形態のカップホルダー２００は、引出し手段等を不要とすることで構成を簡略化することができ、コスト低減を図ることが可能となる。本実施形態のカップホルダー２００は、ボックス本体１１０の設置位置に近い位置で使用可能となることから、例えばアームレストに設置して用いるのに好適である。
【００７０】
なお、本実施の形態における記述は、本発明に係るカップホルダーの一例を示すものであり、これに限定されるものではない。本実施の形態におけるカップホルダーの細部構成及び詳細な動作等に関しては、本発明の趣旨を逸脱しない範囲で適宜変更可能である。
【図面の簡単な説明】
【００７１】
【図１】本発明の実施形態に係るカップホルダーが使用可能となっているときの斜視図である。
【図２】本発明の実施形態に係るカップホルダーが使用可能となっているときの側面図である。
【図３】本発明の実施形態に係るカップホルダーが使用可能となっているときの上面図である。
【図４】本発明の実施形態に係るカップホルダーが使用可能となっているときの下面図である。
【図５】本発明の実施形態に係るカップホルダーが閉止状態及び開放途中の状態にあるときの側面図である。
【図６】本発明の別の実施形態に係るカップホルダーが使用可能となっているときの側面図である。
【図７】本発明の別の実施形態に係るカップホルダーが使用可能となっているときの側面図である。
【図８】従来のカップホルダーの実施例を示す斜視図である。
【図９】従来のカップホルダーの別の実施例を示す斜視図である。
【符号の説明】
【００７２】
１００、２００、９００、９１０    カップホルダー
１１０    ボックス本体
１１１    開口部
１１２    ガイド溝
１２０    ベース部
１２１    レール係止部
１２２    支持片係止部
１３０    カップ把持アーム
１３１    アーム部
１３２    カップ把持片
１３３    アーム支持部
１３４    圧縮バネ
１４０    後方把持部
１４１    後方把持片
１４２    支持台
１４３    支持台係止部
１５０    蓋体
１６０    ロック手段
１７０    レール部
１７１    レール片
１７２    レール連結片
１７３    長孔
１８０    引出し手段
１８１    巻取り部
１８２    バネ片
１９０    支持片
１９１    スライド回転軸
９０１、９１１    カップ把持部
【図１】
2008195227.tif 000003
【図２】
2008195227.tif 000004
【図３】
2008195227.tif 000005
【図４】
2008195227.tif 000006
【図５】
2008195227.tif 000007
【図６】
2008195227.tif 000008
【図７】
2008195227.tif 000009
【図８】
2008195227.tif 000010
【図９】
2008195227.tif 000011